【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
表示コンポーネント及び少なくとも１つのユーザ入力コンポーネントを含むコンピュータと、
分割放射線治療計画動作を実行するために前記コンピュータによって読取り可能でかつ実行可能な命令を記憶する少なくとも１つの非一時的記憶媒体と、
を含む分割放射線治療計画デバイスであって、
前記分割放射線治療計画動作は、
分割放射線治療によって送出されるべき放射線量分布、及び１つ又は複数のリスク臓器に対するリスク臓器（ＯＡＲ）生物学的実効線量（ＢＥＤ）制約であって、各リスク臓器生物学的実効線量（ＯＡＲ  ＢＥＤ）制約は、前記分割放射線治療によって対応する前記リスク臓器（ＯＡＲ）に送出できる最大の生物学的実効線量（ＢＥＤ）を表す、ＯＡＲ  ＢＥＤ制約を少なくとも含む分画選択入力を生成するか又は受け取ることを含む、分割放射線治療計画デバイスにおいて、前記分割放射線治療計画動作が、
【数１１５】
2019511337.tif 000001
に等しいか又は比例するパラメータＸと、
【数１１６】
2019511337.tif 000002
に等しいか又は比例するパラメータＹとの２次元（２Ｄ）グラフを表示することであって、ここで、Ｎは、線量分布を送出するための分割数であり、総放射線量Ｄは、前記分割放射線治療によって送出されるべき総放射線量であり、ｄｔは、分割ｔで送出されるべき前記総放射線量Ｄの分割線量である、表示することと、
前記２Ｄグラフ上に、各ＯＡＲ  ＢＥＤ制約を示すＯＡＲ  ＢＥＤラインを表示することと、
前記２Ｄグラフ上に、現在の総放射線量Ｄｃｕｒｒ及び現在の総二乗放射線量ＳＤｃｕｒｒによって定義された前記２Ｄグラフ上の位置にマーカを表示することと、
前記少なくとも１つのユーザ入力コンポーネントを介して、前記現在の総放射線量Ｄｃｕｒｒ及び前記現在の総二乗放射線量ＳＤｃｕｒｒのうちの少なくとも一方に対する新しい値を受け取り、前記現在の総放射線量Ｄｃｕｒｒ及び前記現在の総二乗放射線量ＳＤｃｕｒｒの更新値に従って前記マーカの前記表示を更新することと
を含むことを特徴とする、分割放射線治療計画デバイス。
【請求項２】
前記分画選択入力が腫瘍に対する目標ＢＥＤをさらに含み、前記目標ＢＥＤは、前記分割放射線治療によって腫瘍に送出されるべきＢＥＤであり、前記分割放射線治療計画動作が、
前記２Ｄグラフ上に、前記腫瘍のための前記目標ＢＥＤを示す目標ＢＥＤラインを表示することをさらに含む、請求項１に記載の分割放射線治療計画デバイス。
【請求項３】
前記腫瘍に対する前記目標ＢＥＤを示す前記目標ＢＥＤラインが、
σＴＸ＋ρＴ（σＴ）２Ｙ＝ＢＴ
によって与えられ、ここで、ＢＴは、前記分割放射線治療によって前記腫瘍に送出されるべき前記目標ＢＥＤであり、σＴは、定数であり、ρＴは、線形二次ＢＥＤモデルにおける前記腫瘍のα／β比の逆数である、請求項２に記載の分割放射線治療計画デバイス。
【請求項４】
ＯＡＲ  ＢＥＤ制約ｍを示す前記ＯＡＲ  ＢＥＤラインが、
σｍＸ＋ρｍ（σｍ）２Ｙ＝Ｂｍ
によって与えられ、ここで、Ｂｍは、前記ＯＡＲ  ＢＥＤ制約であり、σｍは、定数であり、ρｍは、線形二次ＢＥＤモデルにおける前記対応するリスク臓器の前記α／β比の逆数である、請求項１乃至３のいずれか一項に記載の分割放射線治療計画デバイス。
【請求項５】
前記分割放射線治療計画動作が、
分画スキームのための現在の分割数Ｎｃｕｒｒを、前記現在の総放射線量Ｄｃｕｒｒ及び前記現在の総二乗放射線量Ｙｃｕｒｒから計算することと、
前記分画スキームのための前記現在の分割数Ｎｃｕｒｒを、前記現在の総線量Ｄｃｕｒｒ及び前記現在の総二乗線量ＳＤｃｕｒｒの前記更新値から更新することと
をさらに含む、請求項１乃至４のいずれか一項に記載の分割放射線治療計画デバイス。
【請求項６】
生成された又は受け取られた前記分画選択入力が、最大分割数Ｎｍａｘ及び最小分割数Ｎｍｉｎをさらに含み、前記分割放射線治療計画動作が、
前記２Ｄグラフ上に、前記最大分割数Ｎｍａｘ及び前記最小分割数Ｎｍｉｎを示す放物線境界曲線を表示することをさらに含み、
前記ＯＡＲ  ＢＥＤラインが、均一な分割線量を仮定している前記最大分割数Ｎｍａｘ及び前記最小分割数Ｎｍｉｎを示す前記放物線境界曲線によって境界をつけられた動作領域内にのみ表示される、請求項１乃至５のいずれか一項に記載の分割放射線治療計画デバイス。
【請求項７】
前記２Ｄグラフが、均一な分割線量を仮定している包含範囲［Ｎｍｉｎ，Ｎｍａｘ］内の整数のセットによって定義された放物線曲線のセットを含む離散化格子を有する、請求項６に記載の分割放射線治療計画デバイス。
【請求項８】
生成された又は受け取られた前記分画選択入力が、最大分割数Ｎｍａｘ及び最小分割数Ｎｍｉｎをさらに含み、前記分割放射線治療計画動作が、
前記２Ｄグラフ上に、均一な分割放射線量を仮定している目標分割数Ｎｔａｒｇｅｔによって定義された放物曲線を表示することをさらに含み、ここで、Ｎｍｉｎ≦Ｎｔａｒｇｅｔ≦Ｎｍａｘである、請求項１乃至７のいずれか一項に記載の分割放射線治療計画デバイス。
【請求項９】
分割放射線治療計画動作を実行するために表示コンポーネント及び少なくとも１つのユーザ入力コンポーネントを含むコンピュータによって読取り可能でかつ実行可能な命令を記憶する非一時的記憶媒体であって、前記分割放射線治療計画動作が、
分割放射線治療によって送出されるべき放射線量分布と、１つ又は複数のリスク臓器に対する生物学的実効線量（ＢＥＤ）制約であって、各ＢＥＤ制約は、前記分割放射線治療によって対応する前記リスク臓器に送出できる前記ＢＥＤへの制約である、ＢＥＤ制約と、前記分割放射線治療によって腫瘍に送出されるべき目標ＢＥＤである前記腫瘍に対する目標ＢＥＤとを少なくとも含む分画選択入力を生成するか又は受け取ることと、
前記分割放射線治療によって送出されるべき総放射線量Ｄに等しいか又は比例するパラメータＸと総二乗放射線量ＳＤに等しいか又は比例するパラメータＹとの２次元（２Ｄ）グラフを表示することと、
前記２Ｄグラフ上に、各ＢＥＤ制約を示すＢＥＤライン及び前記目標ＢＥＤを表示することと、
前記２Ｄグラフ上の、現在の総放射線量Ｄｃｕｒｒ及び現在の総二乗放射線量ＳＤｃｕｒｒによって定義された前記２Ｄグラフ上の位置にマーカを表示することと、
分画スキームのための現在の分割数Ｎｃｕｒｒを、前記現在の総放射線量Ｄｃｕｒｒ及び前記現在の総二乗放射線量ＳＤｃｕｒｒから決定することと、
前記少なくとも１つのユーザ入力コンポーネントを介したユーザ入力に応じて前記マーカを移動できるようにし、それによって、前記現在の総放射線量Ｄｃｕｒｒ、前記現在の総二乗放射線量ＳＤｃｕｒｒ、及び前記現在の分割数Ｎｃｕｒｒがユーザによって調整可能になることと
を含む、非一時的記憶媒体。
【請求項１０】
前記分画スキームが均一な分割放射線量を使用する、請求項９に記載の非一時的記憶媒体。
【請求項１１】
前記分割放射線治療計画動作が、
前記２Ｄグラフ上の、新しい総放射線量Ｄｎｅｗ及び新しい総二乗放射線量ＳＤｎｅｗによって定義されたユーザ選択位置に第２のマーカを表示することと、
前記分画スキーム又は新しい分画スキームのための新しい分割数Ｎｎｅｗを、前記新しい総放射線量Ｄｎｅｗ及び前記新しい総二乗放射線量ＳＤｎｅｗから決定することと
をさらに含む、請求項９又は１０に記載の非一時的記憶媒体。
【請求項１２】
前記腫瘍に対する前記目標ＢＥＤを示す目標ＢＥＤラインが、σＴＸ＋ρＴ（σＴ）２Ｙ＝ＢＴによって与えられ、ここで、ＢＴは、前記分割放射線治療によって前記腫瘍に送出されるべき前記目標ＢＥＤであり、σＴは、定数であり、ρＴは、線形二次ＢＥＤモデルにおける前記腫瘍のα／β比の逆数であり、
ＢＥＤ制約ｍを示す制約ＢＥＤラインは、σｍＸ＋ρｍ（σｍ）２Ｙ＝Ｂｍによって与えられ、ここで、Ｂｍは、前記分割放射線治療によって前記対応するリスク臓器に送出され得る前記ＢＥＤへの前記制約であり、σｍは、定数であり、ρｍは、線形二次ＢＥＤモデルにおける前記対応するリスク臓器の前記α／β比の逆数である、請求項９乃至１１のいずれか一項に記載の非一時的記憶媒体。
【請求項１３】
生成された又は受け取られた前記分画選択入力が、最大分割数Ｎｍａｘ及び最小分割数Ｎｍｉｎをさらに含み、前記分割放射線治療計画動作が、
前記２Ｄグラフ上に、均一な分割放射線量を仮定している前記最大分割数Ｎｍａｘ及び前記最小分割数Ｎｍｉｎを示す放物線境界曲線を表示することをさらに含み、
前記ＢＥＤラインが、前記最大分割数Ｎｍａｘ及び前記最小分割数Ｎｍｉｎを示す前記放物線境界曲線によって境界をつけられた動作領域内にのみ表示される、請求項９乃至１２のいずれか一項に記載の非一時的記憶媒体。
【請求項１４】
前記分割放射線治療計画動作が、
前記２Ｄグラフ上に、均一な分割放射線量を仮定している前記現在の分画Ｎｃｕｒｒによって定義された放物曲線を表示すること
をさらに含む、請求項９乃至１２のいずれか一項に記載の非一時的記憶媒体。
【請求項１５】
分割放射線治療によって送出されるべき放射線量分布、並びに複数の生物学的実効線量（ＢＥＤ）目標及び／又は制約を少なくとも含む分画選択入力を生成するか又は受け取るステップと、
表示コンポーネント上において、
【数１１７】
2019511337.tif 000003
に等しいか又は比例するパラメータＸと、
【数１１８】
2019511337.tif 000004
に等しいか又は比例するパラメータＹとの２次元（２Ｄ）グラフを表示するステップであって、ここで、Ｎは、前記放射線量分布を送出するための分割数であり、総放射線量Ｄは、前記分割放射線治療によって送出されるべき総放射線量であり、ｄｔは、分割ｔで送出されるべき前記総放射線量Ｄの分割放射線量である、ステップと、
前記２Ｄグラフ上に、各ＢＥＤ目標又は制約を示すＢＥＤラインを表示するステップと、
前記２Ｄグラフ上に、前記２Ｄグラフ上の位置にマーカを表示するステップと、
前記２Ｄグラフ上の前記マーカの新しい位置の選択に応答して前記分割数Ｎ、前記総放射線量Ｄ、及び前記分割放射線量ｄｔに対する新しい値を生成するようにプログラムされたプロセッサを提供するステップを含む、少なくとも１つのユーザ入力コンポーネントを使用して、前記総放射線量Ｄ、前記分割数Ｎ、及び前記分割放射線量ｄｔを最適化するように前記マーカの前記位置の調節を提供するステップと
を有する分割放射線治療計画方法であって、
前記分割数Ｎが、前記マーカの前記位置によって示された前記総放射線量Ｄ及び前記総二乗放射線量ＳＤから分画スキームのために計算される、分割放射線治療計画方法。